(57)【要約】      （修正有）【課題】蓋部材の構造が簡単になり、使い勝手を向上させた調理容器を提供する。【解決手段】上部が開口された容器本体と、容器本体の開口領域を覆う蓋部材３０と、環状の第一密閉部材と、を備え、第一密閉部材は、容器本体と蓋部材との間に設けられている。また、蓋部材の変位を抑制する環状の蓋受け部材４０を備え、第一密閉部材は、蓋受け部材に取り付けられており、蓋受け部材は、第一密閉部材が取り付けられる第一密閉部材取付部を有し、第一密閉部材は、水平方向外側に開口する略コ字状断面の第一密閉部材本体を有し、第一密閉部材取付部は、蓋受け部材の内周面から水平方向内側に突設されてなる。【選択図】図１
2019088732.tif 000002
【特許請求の範囲】
【請求項１】
上部が開口された容器本体と、前記容器本体の開口領域を覆う蓋部材と、環状の第一密閉部材と、を備え、
前記第一密閉部材は、前記容器本体と前記蓋部材との間に設けられていることを特徴とする、調理容器。
【請求項２】
前記蓋部材の変位を抑制する環状の蓋受け部材を備え、
前記第一密閉部材は、前記蓋受け部材に取り付けられることを特徴とする、請求項１に記載の調理容器。
【請求項３】
前記蓋受け部材は、前記第一密閉部材が取り付けられる第一密閉部材取付部を有し、
前記第一密閉部材は、水平方向外側に開口する略コ字状断面の第一密閉部材本体を有し、
前記第一密閉部材取付部は、前記蓋受け部材の内周面から水平方向内側に突設されてなることを特徴とする、請求項２に記載の調理容器。
【請求項４】
前記蓋受け部材の外周面に着脱可能に取り付けられ、前記蓋受け部材を水平方向内側に押圧する拘束部材を備えることを特徴とする、請求項２又は３に記載の調理容器。
【請求項５】
前記蓋受け部材は、上面から上方に切り起こされた切り起こし片を、間隔を空けて複数有し、
前記蓋部材は、周縁から水平方向外側に延設された係止舌片を、間隔を空けて複数有し、
前記複数の切り起こし片の少なくとも一つは、側面にストッパー部が形成されていることを特徴とする、請求項２〜４の何れかに記載の調理容器。
【請求項６】
前記第一密閉部材は、水平方向内側に上方傾斜をなす第一密閉翼部を有することを特徴とする、請求項１〜５の何れかに記載の調理容器。
【請求項７】
前記容器本体の側部上方に、略水平に段差部が形成されていることを特徴とする、請求項１〜６の何れかに記載の調理容器。
【請求項８】
上部が開口され、前記容器本体との間に発熱体収容空間を形成するように前記容器本体を収容する外容器と、前記容器本体と前記外容器との間に設けられる環状の第二密閉部材と、を備え、
前記容器本体は、その開口縁部から水平方向外側に延設された容器本体フランジ部を有し、
前記外容器は、その開口縁部から水平方向外側に延設された外容器フランジ部を有し、
前記第二密閉部材は、前記容器本体の側部及び前記容器本体フランジ部に当接する第二密閉部材本体と、水平方向内側に向かって下方傾斜をなす第二密閉翼部と、を有することを特徴とする、請求項１〜７の何れかに記載の調理容器。
【発明の詳細な説明】
【技術分野】
【０００１】
本発明は、調理容器に係るものである。詳しくは、水と反応して熱を発生させる発熱体を熱源として使用する、携帯用の調理容器に係るものである。
【背景技術】
【０００２】
従来から、登山や釣り等の野外活動をする際、食品の調理には、携帯用の調理容器が使用されてきた。
【０００３】
通常、携帯用の調理容器の熱源として、ガスや木炭、電気等が使用されている。しかし、これらの熱源は、運搬上の不快感や火災発生の危険性、使用場所の制限等の問題点が存在する。
【０００４】
近年、このような問題点を解決するために、例えば、特許文献１や特許文献２に開示されているように、水と反応して熱を発生させる発熱体を熱源として使用する調理容器が提案されている。
【先行技術文献】
【特許文献】
【０００５】
【特許文献１】大韓民国実用新案登録第２０−０３４２０８９号
【特許文献２】大韓民国登録特許公報１０−１６９０６８７号
【発明の概要】
【発明が解決しようとする課題】
【０００６】
以下、図１４〜図２３を用いて、従来の、水と反応して熱を発生させる発熱体を熱源として使用する調理容器について説明する。
【０００７】
従来の調理容器は、特に図１４及び図１５に示すように、外容器１１０と、外容器１１０に収容される容器本体１２０と、容器本体１２０の開口領域を覆う蓋部材１３０と、容器本体１２０を囲うように設けられた蓋受け部材１４０と、蓋受け部材１４０を拘束するための拘束部材１５０と、外容器１１０と容器本体１２０との間に設けられた環状の第二密閉部材１６０と、容器本体１２０と蓋部材１３０との間に設けられた環状の第一密閉部材１７０と、外容器１１０に設けられた安全弁１９１と、外容器１１０と蓋部材１３０に一つずつ設けられた蒸気排出弁１９２と、を備えている。
【０００８】
外容器１１０は、上部が開口された外容器主部１１１と、外容器主部１１１の開口縁部から水平方向外側に向けて延設された外容器フランジ部１１２と、を有している。
【０００９】
容器本体１２０は、上部が開口された容器本体主部１２１と、容器本体主部１２１の開口縁部から外側に延設された容器本体フランジ部１２２と、を有している。容器本体フランジ部１２２は、略コ字状断面であり、下方に向かって開口するように設けられている。
【００１０】
上記した構成の容器本体１２０は、容器本体主部１２１の底面と外容器主部１１１の底面との間に発熱体収容空間１２６が形成され、容器本体フランジ部１２２が外容器フランジ部１１２の上面に当接するように組み立てられる。
【００１１】
蓋部材１３０は、蓋部材本体１３１と、蓋部材本体１３１の周縁から延設された第一密閉部材溝部１３５と、第一密閉部材溝部１３５の周縁から水平方向外側に延設された複数の係止舌片１３２と、蓋部材本体１３１の上面中央に形成された蓋ハンドル１３３と、を有している。第一密閉部材溝部１３５は、略コ字状断面であり、下方に向かって開口するように設けられている。
なお、係止舌片１３２は、後述する切り起こし片１４３の配置形態に対応するように形成されている。
【００１２】
上記した構成の蓋部材１３０は、蓋部材本体１３１が、容器本体主部１２１の開口領域を覆い、係止舌片１３２が、後述する切り起こし水平面部１４３ｂの下方に進入するように組み立てられる。
【００１３】
図１６に示すように、蓋受け部材１４０は、環状の蓋受け部材本体１４１と、蓋受け部材本体１４１の上端から内側に、間隔を空けて複数曲げ形成された複数の蓋受け部材フランジ部１４２と、蓋受け部材フランジ部１４２の上面に、間隔を空けて複数形成された切り起こし片１４３と、蓋受け部材本体１４１の下端から内側に、間隔を空けて複数曲げ形成された複数の外容器係止部１４４と、を有している。
各切り起こし片１４３は、蓋受け部材フランジ部１４２の上面から上方に延設された切り起こし垂直面部１４３ａと、切り起こし垂直面部１４３ａの上端から水平方向内側に延設された切り起こし水平面部１４３ｂと、により構成されている。
なお、外容器係止部１４４は、後述する係止舌片１５３の配置形態に対応するように形成されている。
【００１４】
上記した構成の蓋受け部材１４０は、蓋受け部材本体１４１が、容器本体フランジ部１２２の外表面を覆い、蓋受け部材フランジ部１４２の底面が、容器本体フランジ部１２２の上面に当接するように組み立てられる。
【００１５】
図１７に示すように、拘束部材１５０は、外容器主部１１１の側面に形成された一対の外容器取手１５１と、外容器フランジ部１１２の周縁から水平方向外側に間隔を空けて複数延設された係止舌片１５３と、蓋受け部材本体１４１の側面に形成された一対の蓋受け部材ハンドル１５２と、を有している。
一対の外容器取手１５１には、配置ガイド溝１５１ａと拘束溝１５１ｂが形成されている。
一対の蓋受け部材ハンドル１５２には、配置ガイド溝１５１ａと拘束溝１５１ｂにそれぞれ対応する並べ替え突部１５２ｂと、拘束突部１５２ｃと、が形成されている。また、蓋受け部材ハンドル１５２には、拘束突部１５２ｃを一方向に強制的に直線移動させるための操作ボタン１５２ａと、拘束突部１５２ｃが一方向に移動する間に弾性力を蓄積するスプリング（図示せず）と、が設けられている。
【００１６】
第一密閉部材１７０は、略Ｌ字状断面の第一密閉部材本体１７１と、第一密閉部材本体１７１から水平方向外側に下方傾斜をなすように延設された第一密閉翼部１７２と、を有している。これにより、第一密閉部材１７０は、全体として略コ字状断面で、水平方向外側に開口するように形成されている。また、第一密閉部材１７０は、シリコーンゴム等の弾性材料が好適に用いられる。
【００１７】
上記した構成の第一密閉部材１７０は、第一密閉部材本体１７１が、第一密閉部材溝部１３５の内面に当接し、第一密閉翼部１７２が、水平方向外側に下方傾斜をなした状態で容器本体フランジ部１２２の上面に当接するように組み立てられる。
【００１８】
第二密閉部材１６０は、略Ｌ字状断面の第二密閉部材本体１６１と、第二密閉部材本体１６１から水平方向外側に下方傾斜をなすように延設された第二密閉翼部１６２と、を有している。これにより、第二密閉部材１６０は、全体として略コ字状断面で、水平方向外側に開口するように形成されている。また、第二密閉部材１６０は、シリコーンゴム等の弾性材料が好適に用いられる。
【００１９】
上記した構成の第二密閉部材１６０は、第二密閉部材本体１６１が、容器本体フランジ部１２２の内面に当接し、第二密閉翼部１６２が、水平方向外側に下方傾斜をなした状態で、外容器フランジ部１１２の上面に当接するように組み立てられる。
【００２０】
安全弁１９１は、外容器１１０の蒸気圧が予め設定された値を超えると、自動的に開放されるように構成されている。このような構成を有する安全弁１９１は、従来知られているので詳細な説明は省略する。
【００２１】
蒸気排出弁１９２は、外容器１１０と容器本体１２０の蒸気圧が、予め設定された値を超えると、自動的に開放されるように構成されている。このような構成を有する蒸気排出弁１９２は、従来知られているので詳細な説明は省略する。
【００２２】
以下、上記した構成の従来の調理容器を使用する方法を説明する。
なお、説明の便宜のために、第二密閉部材１６０は、容器本体フランジ部１２２に設けられており、第一密閉部材１７０は、第一密閉部材溝部１３５に取り付けられていることを前提とする。そして、第二密閉翼部１６２の下端が、外容器フランジ部１１２の上面に当接するように、容器本体１２０が、外容器１１０に収容されていることを前提とする。
【００２３】
蓋受け部材１４０は、次のような方法で、拘束部材１５０に取り付けることができる。
まず、複数の係止舌片１５３が、複数の外容器係止部１４４の間のスペースに配置された状態で、並べ替え突部１５２ｂが配置ガイド溝１５１ａの終端に到達するまで、蓋受け部材１４０を回転させる。
【００２４】
次に、並べ替え突部１５２ｂが配置ガイド溝１５１ａの終端に到達したときに、拘束突部１５２ｃが、スプリング（図示せず）に蓄積された弾性力によって、拘束溝１５１ｂに嵌め合わされる。
【００２５】
蓋部材１３０は、複数の係止舌片１３２を、複数の切り起こし片１４３の間のスペースに配置した状態で、係止舌片１３２が切り起こし水平面部１４３ｂの下側に進入するように、蓋部材１３０を回転させことで、蓋受け部材１４０に取り付けられる。
【００２６】
係止舌片１３２が切り起こし水平面部１４３ｂの下側に進入した状態で、第一密閉翼部１７２は、容器本体フランジ部１２２の上面に当接し、係止舌片１３２は、切り起こし水平面部１４３ｂの底面に当接する。
【００２７】
ここで、拘束突部１５２ｃが拘束溝１５１ｂに嵌め合わされると、蓋受け部材１４０の外側への移動が抑制される。
【００２８】
これにより、係止舌片１３２が切り起こし水平面部１４３ｂの下側に進入した状態が保持される（図１８及び図１９参照）。
また、容器本体フランジ部１２２と第一密閉部材１７０との間の当接状態と、容器本体フランジ部１２２と蓋受け部材フランジ部１４２との間の当接状態と、外容器フランジ部１１２と第二密閉部材１６０との間の当接状態と、がそれぞれ保持される（図２０及び図２１参照）。
【００２９】
なお、蓋受け部材１４０を外容器１１０から分離しようとするときは、操作ボタン１５２ａを操作して、拘束突部１５２ｃを、拘束溝１５１ｂから離脱するように直線移動させた状態で、蓋受け部材１４０を反対方向に回転させる。
【００３０】
食べ物は、次のような方法で調理することができる。
まず、図２２に示すように、外容器１１０の底面に、発熱体２０１及び水を投入する。そして、発熱体２０１と水との水和反応により、熱が発生する。
【００３１】
次に容器本体１２０及び蓋受け部材１４０を取り付ける。
【００３２】
次に、調理しようとする飲食物を容器本体１２０に入れた後、蓋部材１３０を取り付ける。蓋部材１３０を取り付けた状態で、発熱体２０１から容器本体１２０に伝達される熱により、飲食物が加熱される。
【００３３】
ここで、従来の調理容器によると、蓋部材１３０に第一密閉部材溝部１３５を形成する必要があるため、蓋部材１３０の構造が複雑になるという問題点があった。
【００３４】
また、第一密閉部材１７０が、第一密閉部材溝部１３５に取り付けられているため、第一密閉部材１７０の交換と洗浄が難しいという問題点があった。
【００３５】
また、第一密閉翼部１７２が、外側に向かって下方傾斜を成した状態で、容器本体フランジ部１２２の上面に当接するように第一密閉部材１７０を取り付けるため、容器本体１２０の内部の蒸気が、第一密閉翼部１７２と容器本体フランジ部１２２の上面との間を介して、容器本体１２０の外部に排出されるという問題点があった（図２３参照）。
容器本体１２０から外部に蒸気が排出されると、容器本体１２０内部の温湿度が適切に保持されず、調理時間が長くなるという二次的な問題が発生する。
【００３６】
また、第二密閉翼部１６２が、外側に向かって下方傾斜を成した状態で、外容器フランジ部１１２の上面に当接するように第二密閉部材１６０を取り付けるため、発熱体収容空間１２６の内部の蒸気が第二密閉翼部１６２と外容器フランジ部１１２の上面との間を介して、外容器１１０の外部に排出されるという問題点があった（図２３参照）。
発熱体収容空間１２６から外部に蒸気が排出されると、発熱体収容空間１２６の温湿度が適切に保持されず、調理時間が長くなるという二次的な問題が発生する。
【００３７】
本発明は上記のような実状に鑑みてなされたものであり、蓋部材の構造が簡単になり、使い勝手を向上させた調理容器を提供することを課題とする。
【課題を解決するための手段】
【００３８】
上記課題を解決するために、本発明は、
上部が開口された容器本体と、前記容器本体の開口領域を覆う蓋部材と、環状の第一密閉部材と、を備え、
前記第一密閉部材は、前記容器本体と前記蓋部材との間に設けられていることを特徴とする。
【００３９】
本発明によれば、第一密閉部材が、容器本体と蓋部材との間に設けられていることで、蓋部材を、第一密閉部材を取り付け可能な構造とする必要が無くなる。これにより、例えば、蓋部材を円盤形状のような、ごく簡単な構造とすることが可能となる。
【００４０】
本発明の好ましい形態では、
前記蓋部材の変位を抑制する環状の蓋受け部材を備え、
前記第一密閉部材は、前記蓋受け部材に取り付けられることを特徴とする。
【００４１】
このような構成とすることで、蓋部材の、容器本体からの不意の脱離を防止するとともに、第一密閉部材の位置のずれを抑制し、容器本体と蓋部材間の密閉度を向上させることが可能となる。
【００４２】
本発明の好ましい形態では、
前記蓋受け部材は、前記第一密閉部材が取り付けられる第一密閉部材取付部を有し、
前記第一密閉部材は、水平方向外側に開口する略コ字状断面の第一密閉部材本体を有し、
前記第一密閉部材取付部は、前記蓋受け部材の内周面から水平方向内側に突設されてなることを特徴とする。
【００４３】
このような構成とすることで、第一密閉部材の、蓋受け部材に対する着脱を容易に行うことが可能となる。これにより、第一密閉部材の交換や洗浄を容易に行うことが可能となる。
【００４４】
本発明の好ましい形態では、前記蓋受け部材の外周面に着脱可能に取り付けられ、前記蓋受け部材を水平方向内側に押圧する拘束部材を備えることを特徴とする。
【００４５】
このように蓋受け部材を、外周面から水平方向内側に押圧することで、本容器における各部材間の密着度が向上し、ガタツキが抑制されるため、各部材間の位置関係を確実に保持することが可能となる。
【００４６】
本発明の好ましい形態では、
前記蓋受け部材は、上面から上方に切り起こされた切り起こし片を、間隔を空けて複数有し、
前記蓋部材は、周縁から水平方向外側に延設された係止舌片を、間隔を空けて複数有し、
前記複数の切り起こし片の少なくとも一つは、側面にストッパー部が形成されていることを特徴とする。
【００４７】
このような構成とすることで、蓋部材の、不意の回転による蓋受け部材からの脱離を抑制することが可能となる。
【００４８】
本発明の好ましい形態では、前記第一密閉部材は、水平方向内側に上方傾斜をなす第一密閉翼部を有することを特徴とする。
【００４９】
このような構成とすることで、容器本体内部から発生した蒸気による第一密閉部材の変位を防止することが可能となる。これにより、蒸気が外部へ排出されず、容器本体内部の温湿度を適切に保持することが可能となる。
【００５０】
本発明の好ましい形態では、前記容器本体の側部上方に、略水平に段差部が形成されていることを特徴とする。
【００５１】
このような構成とすることで、例えば、第一密閉部材取付部と段差部とで、第一密閉部材本体の下部を挟み込むようにして、第一密閉部材を固定することが可能となる。これにより、第一密閉部材を、より強固に容器本体に固定することが可能となる。
【００５２】
本発明の好ましい形態では、
上部が開口され、前記容器本体との間に発熱体収容空間を形成するように前記容器本体を収容する外容器と、前記容器本体と前記外容器との間に設けられる環状の第二密閉部材と、を備え、
前記容器本体は、その開口縁部から水平方向外側に延設された容器本体フランジ部を有し、
前記外容器は、その開口縁部から水平方向外側に延設された外容器フランジ部を有し、
前記第二密閉部材は、前記容器本体の側部及び前記容器本体フランジ部に当接する第二密閉部材本体と、水平方向内側に向かって下方傾斜をなす第二密閉翼部と、を有することを特徴とする。
【００５３】
このような構成とすることで、発熱体収容空間から発生した蒸気による第二密閉部材の変位を防止することが可能となる。これにより、蒸気が外部へ排出されず、発熱体収容空間の温湿度を適切に保持することが可能となる。
【発明の効果】
【００５４】
本発明によれば、蓋部材の構造が簡単になり、使い勝手を向上させた調理容器を提供することができる。
【図面の簡単な説明】
【００５５】
【図１】本発明の実施形態に係る調理容器の結合斜視図である。
【図２】本発明の実施形態に係る調理容器の分解斜視図である。
【図３】本発明の実施形態に係る蓋受け部材の拡大斜視図である。
【図４】本発明の実施形態に係る蓋受け部材の拡大斜視図である。
【図５】本発明の実施形態に係る拘束部材の拡大斜視図である。
【図６】本発明の実施形態に係る拘束部材の拡大斜視図である。
【図７】図１におけるＡ−Ａ´線断面図である。
【図８】図７におけるＣ領域の拡大図である。
【図９】図１におけるＢ−Ｂ´線断面図である。
【図１０】図９におけるＤ領域の拡大図である。
【図１１】本発明の実施形態に係る容器本体の変形例を示す斜視図である。
【図１２】本発明の実施形態に係る調理容器の取り付け方法を示す図である。
【図１３】本発明の実施形態に係る調理容器の取り付け方法を示す図である。
【図１４】従来の調理容器の結合斜視図である。
【図１５】従来の調理容器の分解斜視図である。
【図１６】従来の調理容器における蓋受け部材の拡大斜視図である。
【図１７】従来の調理容器における蓋受け部材の拡大斜視図である。
【図１８】図１４におけるＡ−Ａ´線断面図である。
【図１９】図１８におけるＣ領域の拡大図である。
【図２０】図１４におけるＢ−Ｂ´線断面図である。
【図２１】図２０におけるＤ領域の拡大図である。
【図２２】従来の調理容器の使用方法を示す図である。
【図２３】従来の調理容器の問題点を説明するための図である。
【発明を実施するための形態】
【００５６】
以下、図面を用いて、本発明の実施形態に係る調理容器について説明する。
なお、以下に示す実施形態は本発明の一例であり、本発明を以下の実施形態に限定するものではない。
また、本実施形態において、「外側」という用語は容器（外容器または容器本体）の外側を意味し、「内側」という用語は容器の内側を意味するものとして使用する。
【００５７】
本実施形態に係る調理容器は、特に図１及び図２に示すように、外容器１０と、外容器１０に収容される容器本体２０と、容器本体２０の上方に設けられた蓋部材３０と、容器本体２０を囲むように設けられた蓋受け部材４０と、蓋受け部材４０の外周面に着脱可能に取り付けられる拘束部材５０と、外容器１０と容器本体２０との間に設けられた環状の第二密閉部材６０と、容器本体２０と蓋部材３０との間に設けられた環状の第一密閉部材７０と、外容器１０に設置された安全弁９１と、外容器１０と蓋部材３０に一つずつ設置された蒸気排出弁９２と、を備えている。
【００５８】
外容器１０は、上部が開口された外容器主部１１と、外容器主部１１の開口縁部から水平方向外側に向けて延設された外容器フランジ部１２と、外容器主部１１の側面に結合された外容器取手１３と、を有している。
【００５９】
容器本体２０は、上部が開口された容器本体主部２１と、容器本体主部２１の開口縁部から外側に延設された容器本体フランジ部２２と、容器本体主部２１と容器本体フランジ部２２との間に形成された段差部２３と、を有している。
容器本体フランジ部２２は、略コ字状断面であり、下方に向かって開口するように設けられている。
段差部２３は、容器本体２０の側部上方に、略水平に形成されている。
【００６０】
上記した構成の容器本体２０は、容器本体主部２１の底面と外容器主部１１の底面との間に発熱体収容空間２６が形成され、容器本体フランジ部２２が外容器フランジ部１２の上面に当接するように組み立てられる。
なお、外容器１０と容器本体２０の深さは、適宜変更可能である（図１１の容器本体２０参照）。
【００６１】
蓋部材３０は、円盤状の蓋部材本体３１と、蓋部材本体３１の周縁から水平方向外側に延設された複数の係止舌片３２と、蓋部材本体３１の上面中央に形成された蓋ハンドル３３と、を有している。
なお、係止舌片３２は、後述する切り起こし片４３の配置形態に対応するように形成されている。
【００６２】
上記した構成の蓋部材３０は、蓋部材本体３１が容器本体主部２１の開口領域を覆い、係止舌片３２が、後述する切り起こし水平面部４３ｂの下方に進入するように組み立てられる。
【００６３】
図３及び図４に示すように、蓋受け部材４０は、環状の蓋受け部材本体４１と、蓋受け部材本体４１の上端から内側に曲げ形成された複数の蓋受け部材フランジ部４２と、蓋受け部材フランジ部４２の上面に間隔を空けて複数形成された切り起こし片４３と、蓋受け部材フランジ部４２の内周縁から内側に延設された第一密閉部材取付部４４と、対向する一対の切り起こし片４３にそれぞれ形成されたストッパー部４５と、を有している。
各切り起こし片４３は、蓋受け部材フランジ部４２の上面から上方に延設された切り起こし垂直面部４３ａと、切り起こし垂直面部４３ａの上端から水平方向内側に延設された切り起こし水平面部４３ｂと、により構成されている。
【００６４】
第一密閉部材取付部４４は、蓋受け部材フランジ部４２の内周面から水平方向内側に突設されてなり、略Ｓ字状断面のスカート部４４ａと、スカート部４４ａから水平方向内側に延設された固定水平面部４４ｂと、により構成されている。
【００６５】
上記した構成の蓋受け部材４０は、蓋受け部材本体４１が、容器本体フランジ部２２の外周面を覆い、蓋受け部材フランジ部４２の底面が、容器本体フランジ部２２の上面に当接するように組み立てられる。
【００６６】
図５及び図６に示すように、拘束部材５０は、第一拘束部材５１と、ヒンジピン５２ｄによって第一拘束部材５１に回動自在に結合された第二拘束部材５２と、第一拘束部材５１と第二拘束部材５２相互間を締結する締結操作部５３と、を有している。
第一拘束部材５１は、円弧形状の第一拘束部材本体５１ａと、第一拘束部材本体５１ａの上端から内側に曲げ形成された第一拘束上部フランジ５１ｂと、第一拘束部材本体５１ａの下端から内側に曲げ形成された第一拘束下部フランジ５１ｃと、を有している。
【００６７】
第二拘束部材５２は、円弧形状の第二拘束部材本体５２ａと、第二拘束部材本体５２ａの上端から内側に曲げ形成された第二拘束上部フランジ５２ｂと、第二拘束部材本体５２ａの下端から内側に曲げ形成された第二拘束下部フランジ５２ｃと、を有している。
【００６８】
締結操作部５３は、第二拘束部材本体５２ａの一端に結合された締結片５３ａと、締結片５３ａに結合されたロックレバー５３ｃと、ロックレバー５３ｃに回動自在に結合された開ループ形状の締結リング５３ｂと、第一拘束部材本体５１ａの一端から外側に曲げ形成された締結溝部５３ｄを有している。
また、一対の支持壁部５３ｅが、締結片５３ａの両側辺から、締結片５３ａと垂直となるように立設されている。
また、一対のレバー曲げ５３ｆが、ロックレバー５３ｃの両側辺から、ロックレバー５３ｃと垂直となるように立設されている。
ここで、ロックレバー５３ｃは、支持壁部５３ｅとレバー曲げ５３ｆに締結される会合ピン（５３ｇ）を介して締結片５３ａに結合される。締結リング５３ｂは、両端に形成された曲げ部によりレバー曲げ５３ｆの中間に結合される。
【００６９】
上記した構成の締結操作部５３は、締結溝部５３ｄ側にロックレバー５３ｃを回動させることにより、締結リング５３ｂと締結溝部５３ｄとの間の係止状態を適宜解消させることができる。
【００７０】
第一密閉部材７０は、固定水平面部４４ｂに対応する溝を有する形状、即ち、水平方向外側に開口する略コ字状断面で形成された第一密閉部材本体７１と、第一密閉部材本体７１から内側に向かって上方傾斜をなすように延長形成された第一密閉翼部７２と、を有している。また、第一密閉部材７０は、シリコーンゴム等の弾性材料が好適に用いられる。
【００７１】
上記した構成の第一密閉部材７０は、第一密閉翼部７２が、内側に向かって上方傾斜を成した状態で蓋部材本体３１の底面に当接し、第一密閉部材本体７１の下端が、段差部２３の上面に当接し、第一密閉部材本体７１が、固定水平面部４４ｂに固定されるように組み立てられる。
【００７２】
第二密閉部材６０は、容器本体フランジ部２２の溝内表面に対応する形状、即ち、下方に開口する略コ字状断面で形成された第二密閉部材本体６１と、第二密閉部材本体６１から内側に向かって下方傾斜を成すように延設された第二密閉翼部６２と、を有している。また、第二密閉部材６０は、シリコーンゴム等の弾性材料が好適に用いられる。
【００７３】
上記した構成の第二密閉部材６０は、第二密閉部材本体６１が、容器本体フランジ部２２の内面に当接し、第二密閉翼部６２が、水平方向内側に下方傾斜を成した状態で、外容器フランジ部１２の上面に当接するように組み立てられる。
【００７４】
安全弁９１及び蒸気排出弁９２は、従来の場合と同じ機能を発揮する。
【００７５】
以下、上記した構成の本実施形態に係る調理容器を使用する方法を説明する。
なお、説明の便宜のために、第二密閉部材６０は、容器本体フランジ部２２に設けられており、第一密閉部材７０は、第一密閉部材取付部４４に取り付けられていることを前提とする。そして、第二密閉翼部６２の下端が、外容器フランジ部１２の上面に当接するように、容器本体２０が、外容器１０に収容されていることを前提とする。
【００７６】
蓋受け部材４０は、蓋受け部材フランジ部４２が容器本体フランジ部２２の上面に当接し、第一密閉部材本体７１の下端が段差部２３の上面に当接するように、容器本体２０に取り付けられる。
【００７７】
蓋部材３０は、複数の係止舌片３２を、複数の切り起こし片４３の間のスペースに配置した状態で、係止舌片３２が切り起こし水平面部４３ｂの下側に進入するように回転させることで、蓋受け部材４０に取り付けられる。蓋部材３０の回転動作は、係止舌片３２がストッパー部４５に当接するまで行われる。
【００７８】
係止舌片３２が切り起こし水平面部４３ｂの下側に進入した状態で、第一密閉翼部７２は、蓋部材本体３１の底面に当接し、係止舌片３２は、切り起こし水平面部４３ｂの底面に当接する。
【００７９】
図１２に示すように、拘束部材５０は、締結リング５３ｂが締結溝部５３ｄに係止されていない状態で、第一拘束部材５１と第二拘束部材５２が蓋受け部材本体４１を覆うようにして、蓋受け部材４０に取り付けられる。
【００８０】
次に、第一拘束部材本体５１ａの内周面と第二拘束部材本体５２ａの内周面が、蓋受け部材本体４１に当接するように、第一拘束部材５１と第二拘束部材５２を、蓋受け部材４０に接近させる。
【００８１】
このようにすると、図１３に示すように、第一拘束部材５１と第二拘束部材５２が、蓋受け部材４０に接近する際に、第一拘束上部フランジ５１ｂの底面と第二拘束上部フランジ５２ｂの底面が、蓋受け部材フランジ部４２の上面に当接し、第一拘束下部フランジ５１ｃの上面と第二拘束下部フランジ５２ｃの上面が、外容器フランジ部１２の底面に当接することになる。
【００８２】
次に、締結リング５３ｂを、締結溝部５３ｄに係止させる。第一拘束部材５１と第二拘束部材５２が蓋受け部材４０に接近した状態で、締結リング５３ｂが締結溝部５３ｄに係止されると、蓋受け部材４０が、水平方向内側に押圧される。
【００８３】
これにより、蓋受け部材４０の外側への移動が抑制され、蓋部材本体３１と第一密閉部材７０との間の当接状態と、係止舌片３２が切り起こし水平面部４３ｂの下側に進入した状態と、がそれぞれ保持される。（図７及び図８参照）
また、容器本体２０と第一密閉部材７０との間の当接状態と、容器本体フランジ部２２と蓋受け部材フランジ部４２との間の当接状態と、外容器フランジ部１２と第二密閉部材６０との間の当接状態と、がそれぞれ保持される。（図９及び図１０参照）
【００８４】
食べ物は、従来と同じ方法で調理することができる。
【００８５】
本実施形態によれば、第一密閉部材７０が、容器本体２０と蓋部材３０との間に設けられていることで、蓋部材３０を、第一密閉部材７０を取り付け可能な構造とする必要が無くなる。これにより、蓋部材３０を、ごく簡単な円盤形状とすることが可能となる。
【００８６】
また、蓋部材３０の変位を抑制する環状の蓋受け部材４０を備え、第一密閉部材７０が、蓋受け部材４０に取り付けられていることで、蓋部材３０の、容器本体２０からの不意の脱離を防止するとともに、第一密閉部材７０の位置のずれを抑制し、容器本体２０と蓋部材３０との間の密閉度を向上させることが可能となる。
【００８７】
また、第一密閉部材７０が、水平方向外側に開口する略コ字状断面の第一密閉部材本体７１を有し、第一密閉部材取付部４４が、蓋受け部材４０の内周面から水平方向内側に突設されてなることで、第一密閉部材７０の、蓋受け部材４０に対する着脱を容易に行うことが可能となる。これにより、第一密閉部材７０の交換や洗浄を容易に行うことが可能となる。
【００８８】
また、蓋受け部材４０を、外周面から水平方向内側に押圧する拘束部材５０を備えることで、本容器における各部材間の密着度が向上し、ガタツキが抑制されるため、各部材間の位置関係を確実に保持することが可能となる。
【００８９】
また、対向する一対の切り起こし片４３の側面にストッパー部４５が形成されていることで、蓋部材３０の不意の回転による蓋受け部材４０からの脱離を抑制することが可能となる。
【００９０】
また、第一密閉部材７０が、水平方向内側に上方傾斜をなす第一密閉翼部７２を有することで、容器本体２０内部から発生した蒸気による第一密閉部材７０の変位を防止することが可能となる。これにより、蒸気が外部へ排出されず、容器本体２０内部の温湿度を適切に保持することが可能となる。
【００９１】
また、容器本体２０の側部上方に、略水平に段差部２３が形成されていることで、第一密閉部材取付部４４と段差部２３とで、第一密閉部材本体７１の下部を挟み込むようにして、第一密閉部材７０を固定することが可能となる。これにより、第一密閉部材７０を、より強固に容器本体２０に固定することが可能となる。
【００９２】
また、第二密閉部材６０が、水平方向内側に向かって下方傾斜をなす第二密閉翼部６２を有することで、発熱体収容空間２６から発生した蒸気による第二密閉部材６０の変位を防止することが可能となる。これにより、蒸気が外部へ排出されず、発熱体収容空間２６の温湿度を適切に保持することが可能となる。
【００９３】
なお、前記実施形態において示した各構成部材の諸形状や寸法等は一例であって、設計要求等に基づき種々変更可能である。
【符号の説明】
【００９４】
１０、１１０  外容器
１１、１１１  外容器主部
１２、１１２  外容器フランジ部
２０、１２０  容器本体
２１、１２１  容器本体主部
２２、１２２  容器本体フランジ部
２３          段差部
２６、１２６  発熱体収容空間
３０、１３０  蓋部材
３１、１３１  蓋部材本体
３２、１３２  係止舌片
３３、１３３  蓋ハンドル
４０、１４０  蓋受け部材
４１、１４１  蓋受け部材本体
４２、１４２  蓋受け部材フランジ部
４３、１４３  切り起こし片
４４          第一密閉部材取付部
４５          ストッパー部
５０、１５０  拘束部材
５１          第一拘束部材
５２          第二拘束部材
５３          締結操作部
６０、１６０  第二密閉部材
６１、１６１  第二密閉部材本体
６２、１６２  第二密閉翼部
７０、１７０  第一密閉部材
７１、１７１  第一密閉部材本体
７２、１７２  第一密閉翼部
１３５        第一密閉部材溝部
１４４        外容器係止部
１５１        外容器取手
１５２        蓋受け部材ハンドル
１５３        係止舌片
２０１        発熱体
【図１】
2019088732.tif 000003
【図２】
2019088732.tif 000004
【図３】
2019088732.tif 000005
【図４】
2019088732.tif 000006
【図５】
2019088732.tif 000007
【図６】
2019088732.tif 000008
【図７】
2019088732.tif 000009
【図８】
2019088732.tif 000010
【図９】
2019088732.tif 000011
【図１０】
2019088732.tif 000012
【図１１】
2019088732.tif 000013
【図１２】
2019088732.tif 000014
【図１３】
2019088732.tif 000015
【図１４】
2019088732.tif 000016
【図１５】
2019088732.tif 000017
【図１６】
2019088732.tif 000018
【図１７】
2019088732.tif 000019
【図１８】
2019088732.tif 000020
【図１９】
2019088732.tif 000021
【図２０】
2019088732.tif 000022
【図２１】
2019088732.tif 000023
【図２２】
2019088732.tif 000024
【図２３】
2019088732.tif 000025